(57)【要約】【課題】原水容器を収容した状態で、ろ過時より体積を減少できる浄水器を提供する。【解決手段】原水をフィルター２でろ過して浄水を生成する浄水器１は、原水貯留とフィルター２の保持とが可能な筒状の原水容器１２と、原水容器１２の少なくとも一部１２ｆの保持及び浄水貯留が可能な浄水容器１１とを備え、原水容器１２は底部にフィルター２が配置可能に浄水容器１１に保持される原水容器下部１２ｆと、原水容器下部１２ｆに接続可能な開口端部を有する原水容器上部１２ｒとを含む。【選択図】図１
2014069152.tif 000002
【特許請求の範囲】
【請求項１】
原水をフィルターでろ過して浄水を生成する浄水器であって
原水の貯留と前記フィルターの保持とが可能に形成された筒状の原水容器と、
前記原水容器の少なくとも一部の保持と前記浄水の貯留とが可能に形成された浄水容器とを備え、
前記原水容器は、
底部に前記フィルターが配置可能に前記浄水容器に保持される第１の構成部材と、
前記第１の構成部材に、それぞれが接続可能な第１の開口端部と第２の開口端部とを有する第２の構成部材とを含む、浄水器。
【請求項２】
前記第１の構成部材の内周面と前記第２の構成部材の外周面との間に設けられて、当該第１の構成部材と第２の構成部材とを液密に接続する弾性部材をさらに備える、請求項１に記載の浄水器。
【請求項３】
前記第１の構成部材の開口上端部上面若しくは屈曲部上面と、前記第２の構成部材の段差部下面若しくは端部下面との間に設けられて、当該第１の構成部材と第２の構成部材とを液密に接続する弾性部材をさらに備える、請求項１に記載の浄水器。
【請求項４】
前記第１の構成部材の内周面と前記第２の構成部材の外周面とは係合により固定され、当該係合の方式は凹凸、ネジ、及びバヨネット構造の何れかであることを特徴とする、請求項２または請求項３に記載の浄水器。
【請求項５】
前記第２の構成部材の前記第１及び第２の開口端部に連続しており、前記第１の構成部材の外形より大きな内径を有する筒部が設けられ、
前記第１の構成部材は外周部が、筒部の内周部に嵌入可能に構成されている、請求項１に記載の浄水器。
【請求項６】
前記第１の構成部材の外周面と前記第２の構成部材の筒部内周面との間に設けられて、当該第１の構成部材と第２の構成部材とを液密に接続する弾性部材をさらに備える、請求項５に記載の浄水器。
【請求項７】
前記第１の構成部材の開口上端部上面若しくは屈曲部上面と、前記第２の構成部材の端部下面若しくは段差部下面との間に設けられて、当該第１の構成部材と第２の構成部材とを液密に接続する弾性部材をさらに備える、請求項５に記載の浄水器。
【請求項８】
前記第１の構成部材の外周面と前記第２の構成部材の内周面は係合により固定され、当該係合の方式は凹凸、ネジ、及びバヨネット構造の何れかであることを特徴とする、請求項６または請求項７に記載の浄水器。
【請求項９】
前記第２の構成部材は
外周部が、前記第１の構成部材の内周部に嵌入可能に構成され、
外周部の前記第１の開口部と第２の開口部の間の所定の位置に、垂直方向に延在して前記第１の構成部材の内周部に嵌入不可な突起が設けられている、請求項１から請求項８の何れかに記載の浄水器。
【発明の詳細な説明】
【技術分野】
【０００１】
本発明は、主に家庭で水道水のろ過に用いられる浄水器に関する。
【背景技術】
【０００２】
従来から、一度容器に貯めた水道水をフィルターでろ過し、得られた浄水を貯水する浄水器が知られている。図２４に、特許文献１に提案されている浄水器を示す。浄水器１０１は、浄化前の原水である水道水を貯留する原水容器であるロート（以降、「原水容器」）１１２、ろ材を収納しているカートリッジ（以降、「フィルターカートリッジ」）１０２、及び原水容器１１２とフィルターカートリッジ１０２を収容すると共にろ過された水道水である浄水を貯留する浄水容器１１１を含む。フィルターカートリッジ１０２は、原水容器１１２の底部のほぼ中央部に、フィルターカートリッジ１０２の上部（以降、「カートリッジ上部」）１０２ｔ及び下部（以降、「カートリッジ下部」）１０２ｂがそれぞれ原水容器１１２の内部及び外部に位置するように、着脱自在に装着されている。
【０００３】
なお、浄水容器１１１は、原水容器１１２とカートリッジ上部１０２ｔとを収容する原水収容部１１１ｔと、カートリッジ下部１０２ｂを収容すると共に浄水を貯留する浄水収容部１１１ｂとが一体的に構成されている。原水容器１１２に注ぎ込まれた水道水は原水容器１１２で貯留されると同時に、カートリッジ上部１０２ｔ及びカートリッジ下部１０２ｂを経て、フィルターカートリッジ１０２でろ過されて浄水収容部１１１ｂに貯留される。最終的に、原水容器１１２に注がれた水道水のほぼ同量の浄水が浄水収容部１１１ｂで貯留される。
【０００４】
浄水器１０１において、フィルターカートリッジ１０２を取り付けた状態で、原水容器１１２の貯留容積と浄水容器１１１の貯留容積とは、ほぼ同一になるように構成されることが好ましい。つまり、注ぎ込まれた水道水は原水容器１１２で貯留されると同時にフィルターカートリッジ１０２でろ過されるので、原水容器１１２を一杯にしたときに浄水容器１１１に落ちる分だけ原水容器１１２の貯留容積の方が小さめに設定される。これにより、原水容器１１２に、その貯留容積まで水道水を注げば、以降は水道水を繰り返し（継ぎ足し）注水の回数が少なく、浄水収容部１１１ｂを浄水で一杯にすることができる。
【０００５】
図２５に、特許文献２に提案されている浄水器を示す。浄水器２０１は、原水容器２１２、フィルターカートリッジ２０２、及び原水容器２１２とフィルターカートリッジ２０２を収容すると共にろ過された水道水である浄水を貯留する浄水容器２１１を含む。原水容器２１２は、側壁が蛇腹状で伸縮する原水貯水槽２１２ｂと、底部のほぼ中央に開口が設けられた原水容器２１２ｃとを含む。原水貯水槽２１２ｂの側壁の下端は、原水容器２１２ｃの底部の周辺部に液密に接合されている。フィルターカートリッジ２０２は、原水容器２１２ｃ（原水容器２１２）の底部のほぼ中央部に、カートリッジ上部２０２ｔ及びカートリッジ下部２０２ｂがそれぞれ原水容器２１２の内部及び外部に位置するように、着脱自在に装着されている。
【０００６】
なお、浄水容器２１１は、原水容器２１２とカートリッジ上部２０２ｔとを収容する原水収容部２１１ｔと、カートリッジ下部２０２ｂを収容すると共に浄水を貯留する浄水収容部２１１ｂとが一体的に構成されている。原水貯水槽２１２ｂの蛇腹状側壁は通常折りたたまれて、原水貯水槽２１２ｂは原水容器２１２ｃの内部に収納されている。そして、ろ過する際には、蛇腹状側壁が引き延ばされる。これにより、原水貯水槽２１２ｂの貯留容積が浄水収容部２１１ｂの貯留容積に近づく。つまり、原水収容部２１１ｔの容積（体積）は、上述の原水収容部１１１ｔ（特許文献１）の容積（体積）より小さい。
【０００７】
よって、蛇腹状側壁が引き延ばされた状態の原水貯水槽２１２ｂに、その貯留容積まで水道水を注げば、以降は少ない回数の継ぎ足し注水で、浄水収容部２１１ｂを浄水で一杯にすることができる。そして、ろ過完了後には、蛇腹状側壁を畳んで原水貯水槽２１２ｂを原水容器２１２ｃの内部に収納させることにより、浄水器２０１の体積をろ過時に比べて小さくできる。つまり、浄水器２０１においては、浄水に必要とされる原水貯水槽２１２ｂの体積（容積）を、ろ過時の前後で増減させることにより、原水収容部２１１ｔ或いは原水容器２１２の保管場所を新たに必要とせずに、浄水の保管に必要とされる冷蔵庫内の収容効率の向上を実現している。
【先行技術文献】
【特許文献】
【０００８】
【特許文献１】特開２０１０−１６２５１３号公報
【特許文献２】特開２０１０−２３４２８６号公報
【発明の概要】
【発明が解決しようとする課題】
【０００９】
特許文献１では、原水のろ過貯留に必要とされる貯留容積（フィルターカートリッジ１０２を取り付けた状態での原水容器１１２の貯留容積と浄水容器１１１の貯留容積の和）の半分（浄水収容部１１１ｂの貯留容積）しか、浄水の貯留に利用できない。浄水器のコンパクト化の観点から見れば、原水収容部１１１ｔは原水のろ過後は不要なものであり、いわば無用の長物とも言える存在である。特に、浄水を浄水器毎、冷蔵庫内で保管する場合には、原水容器１１２やフィルターカートリッジ１０２などの浄水貯留に不必要な部材は冷蔵庫内の収容空間を無駄に消費することになる。
【００１０】
冷蔵庫内の収納効率向上のために、原水収容部１１１ｔと原水容器１１２とを浄水収容部１１１ｂに着脱自在に構成して、水道水をろ過する時にのみ浄水器１０１（浄水収容部１１１ｂ）に取り付けることが考えられる。この場合、冷蔵庫内の収容空間の利用効率は改善されるが、ろ過後に浄水器１０１から取り外された原水収容部１１１ｔ及び原水容器１１２を浄水器１０１とは別に保管する保管場所が新たに必要とされる。
【００１１】
また、特許文献２の同浄水器２０１においては、繰り返し伸縮によって、原水貯水槽２１２ｂの蛇腹状側壁が劣化損傷して、原水のろ過時に問題が生じる。たとえば、伸ばした蛇腹状側壁が自重で縮んだり切れていたりして、水道水が原水容器２１２（原水貯水槽２１２ｂや原水容器２１２ｃ）からあふれたり漏れ出したりする。いずれの場合も、原水のろ過に支障を来すと共に、原水がろ過後の浄水に混入したり、浄水器２０１の外部に流出して周囲をぬらしたりする。また、伸縮性の蛇腹状側壁は洗浄しにくいという問題点も有している。
【００１２】
本発明は、上述のような問題点を鑑み、原水容器を収容した状態で、ろ過時より体積を減少できる浄水器を提供することを目的とする。
【課題を解決するための手段】
【００１３】
上記の課題を解決する為に、本発明は、原水をフィルターでろ過して浄水を生成する浄水器であって、
原水の貯留と前記フィルターの保持とが可能に形成された筒状の原水容器と、
前記原水容器の少なくとも一部の保持と前記浄水の貯留とが可能に形成された浄水容器とを備え、
前記原水容器は、
底部に前記フィルターが配置可能に前記浄水容器に保持される第１の構成部材と、
前記第１の構成部材に、それぞれが接続可能な第１の開口端部と第２の開口端部とを有する第２の構成部材とを含む。
【発明の効果】
【００１４】
本発明は、原水容器を収容した状態での、浄水器の非ろ過時の体積の減少に効果がある。
【図面の簡単な説明】
【００１５】
【図１】本発明の実施の形態１に係る浄水器の注ぎ口側からみた内部構造を模式的に示す断面図である。
【図２】図１において、原水容器上部が原水容器下部に嵌合した状態を示す部分断面図である。
【図３】本発明の実施の形態２に係る浄水器を斜め上から見た斜視図である。
【図４】図３に示す、原水容器下部突起が原水容器下部収容部突起と係止していない状態の浄水器をＤｖ方向に見た平面図である。
【図５】図４において、浄水器を直線Ｖ−Ｖで切った断面図である。
【図６】図３に示す浄水器であって、原水容器下部突起が原水容器下部収容部突起と係止していない状態の浄水器をＤｖ方向に見た平面図である
【図７】図６において、浄水器を直線ＶＩＩ−ＶＩＩで切った断面図である。
【図８】本発明の実施の形態３に係る浄水器の構造を示す断面図である。
【図９】図８に於ける原水容器下部突起を中心とする周辺の構造を示す断面図である。
【図１０】本発明の実施の形態４に係る浄水器の構造を示す断面図である。
【図１１】図１０の浄水器の更なる一例を示す断面図である。
【図１２】本発明の実施の形態５に係る浄水器の原水容器上部を示す斜視図である。
【図１３】図１２の原水容器上部を様々な方向から見た状態を示す図である。
【図１４】本発明の実施の形態６に係る浄水器のろ過時状態と収納時状態を示す斜視図である。
【図１５】図１４の収納時の浄水器に蓋を装着した状態を示す斜視図である。
【図１６】本発明の実施の形態６に係る浄水器の構造を示す断面図である。
【図１７】図１６の浄水器における液密固定構造を示す断面図である。
【図１８】本発明の実施の形態７に係る浄水器の構造を示す断面図である。
【図１９】図１８の浄水器における液密固定構造を示す断面図である。
【図２０】本発明の実施の形態８に係る浄水器の構造を示す断面図である。
【図２１】図２０の浄水器における液密固定構造を示す断面図である。
【図２２】本発明の実施の形態９に係る浄水器の構造を示す断面図である。
【図２３】図２２の浄水器における液密固定構造を示す断面図である。
【図２４】従来の浄水器の構成の説明図である。
【図２５】図２４に示したのとは異なる、従来の浄水器の構成を示す断面図である。
【発明を実施するための形態】
【００１６】
（実施の形態１）
本発明の実施の形態１に係る浄水器について、図２４を参照して説明した従来の浄水器１０１（特許文献１）と図２５を参照して説明した従来の浄水器２０１（特許文献２）と比較して説明する。図１に示すように、本実施の形態に係る浄水器１Ａは、上部にろ過前の原水である水道水を貯留する原水容器１２と、原水容器１２の一部とフィルターカートリッジ２とを収容すると共にろ過された水道水（浄水）を貯留する浄水容器１１とを備えている。そして、原水容器１２の底部に、ろ材を収納しているフィルターカートリッジ２が交換可能に取り付けられている。
【００１７】
また、原水容器１２は、第１の構成部材である原水容器下部１２ｆと第２の構成部材である原水容器上部１２ｒとを含む。原水容器下部１２ｆは浄水容器１１の内部に固定されており、原水容器上部１２ｒは周囲に突起１２ｒｐが設けられている。浄水容器１１は、原水容器１２とカートリッジ上部２ｔを収容する原水収容部１１ｔと、カートリッジ下部２ｂを収容すると共にろ過された水道水（浄水）を貯留する浄水収容部１１ｂとが一体的に構成されている。原水収容部１１ｔは、原水容器上部１２ｒの下部とカートリッジ上部２ｔの先端部を収容する原水容器上部収容部１１ｒと、カートリッジ上部２ｔ及び原水容器下部１２ｆを収納する原水容器下部収容部１１ｆとが一体的に構成されている。
【００１８】
同図において、突起１２ｒｐから原水容器上部１２ｒの下端部までの距離Ｌ１と、突起１２ｒｐから原水容器上部１２ｒの上端部までの距離Ｌ２と、原水容器下部１２ｆの下端部から上端部までの距離Ｌ３との間には次式（１）に示す関係がある。
Ｌ１＜Ｌ２≦Ｌ３    ・・・・  （１）
【００１９】
原水容器上部１２ｒは、上下を反対にしても、原水容器下部１２ｆの内周面に原水容器上部１２ｒの外周面が嵌合すると共に、突起１２ｒｐが原水容器下部１２ｆの上端部（以降、「原水容器下部上端部」）１２ｆｅに当接できるように形成されている。なお、原水容器１２（突起１２ｒｐ及び原水容器下部１２ｆ）は、左右対称な形状である必要はない。要するに、突起１２ｒｐと原水容器下部１２ｆが相互に嵌入可能で原水容器１２として組み立て可能な形状が適宜選択される。
【００２０】
図１は、原水容器上部１２ｒが原水容器下部１２ｆに嵌合する前の状態が示されている。原水容器上部１２ｒにおいて、それぞれ距離Ｌ１及びＬ２に対応する部分を短部Ｐ（Ｌ１）及び長部Ｐ（Ｌ２）とする。原水容器１２の貯留容積（体積）は、フィルターカートリッジ２を取り付けた状態で、長部Ｐ（Ｌ２）が原水容器下部上端部１２ｆｅの上側に位置する場合に最大になり、原水容器１２を反転して、短部Ｐ（Ｌ１）が原水容器下部上端部１２ｆｅの上側に位置する場合に最小になるように構成されている。
【００２１】
図２に、短部Ｐ（Ｌ１）が原水容器下部１２ｆの内部に収容された状態の部分断面を示す。同図に示すように、長部Ｐ（Ｌ２）が原水容器下部上端部１２ｆｅの上側に位置する状態で、原水容器１２に注ぎ入れられた水道水は全て、フィルターカートリッジ２でろ過されて、浄水収容部１１ｂに浄水として貯留される。やがて、浄水収容部１１ｂは浄水で一杯になる。そして、ろ過完了後には、原水容器上部１２ｒを上下反対にして、長部Ｐ（Ｌ２）を原水容器上部収容部１１ｒの内部に収納させることにより、浄水器１Ａの体積をろ過時に比べて小さくできる。つまり、浄水器１Ａにおいては、浄水に必要とされる原水容器１２の体積（容積）を、ろ過時の前後で増減させることにより、浄水保管に必要とされる冷蔵庫内の収容効率の向上を実現している。
【００２２】
（実施の形態２）
次に、図３，図４、図５、図６及び図７を参照して、本発明の実施の形態２に係る浄水器について説明する。本実施の形態に係る浄水器１Ｂは、上述の実施の形態１に係る浄水器１Ａにおいて、ろ過完了後に原水容器下部１２ｆと原水容器上部１２ｒが解体しやすい工夫がされている。原水容器下部１２ｆと原水容器上部１２ｒの解体は、以下の手順で行う必要がある。先ず、接続状態の原水容器下部１２ｆと原水容器上部１２ｒとを浄水容器１１から取り出す。取り出された原水容器下部１２ｆと原水容器上部１２ｒとを把持して、引き離す必要がある。
【００２３】
図３、図４、図５、図６及び図７に示すように、浄水器１Ｂにおいては、注ぎ口ＳとハンドルＨとの結ぶ方向（以降、「注ぎ方向」）ＤＬに、原水容器下部１２ｆが距離Ｌｇだけスライドできるように構成されている。具体的には、注ぎ方向ＤＬに沿う、原水容器上部収容部１１ｒの対向する内面のそれぞれに突起１１ｒｐが注ぎ方向ＤＬに延在している。原水容器１２の長手方向に沿う、それぞれ対向する外周面に、突起１２ｒｐが延在している。また、対向する突起１２ｒｐを結ぶように、突起１２ｒｐ’が原水容器１２の短手方向に延在している。
【００２４】
図５に示すように、ハンドルＨに対向する突起１２ｒｐ’の下部には、原水容器下部１２ｆから注ぎ方向ＤＬに沿ってハンドルＨに向かって所定の長さ（以降、「原水容器下部突起長」）Ｌ１２ｆｐだけ延在する原水容器下部突起１２ｆｐが設けられている。原水容器上部収容部１１ｒのハンドルＨ側の内周から注ぎ方向ＤＬに沿って注ぎ口Ｓに向かって所定の長さ（以降、「浄水容器上部突起長Ｌ１１ｒｐｄ」）だけ延在する浄水容器上部突起１１ｒｐｄが設けられている。原水容器下部突起１２ｆｐが突起１２ｒｐ’からハンドルＨ側に向かって突出している長さ（以降、「原水容器下部突起突出長Ｌ１２ｆｐ’」）とすると次式（２）に示す関係がある。
Ｌ１２ｆｐ’≦Ｌ１１ｒｐｄ＜Ｌｇ        ・・・・（２）
【００２５】
図３、図４、及び図５に示す状態、つまり、突起１２ｒｐ’が載置された原水容器下部突起１２ｆｐが、浄水容器上部突起１１ｒｐｄに当接或いは係止しない状態で、原水のろ過作業が行われる。なお、原水容器１２の分解は以下の如く行われる。ろ過作業の完了後に、先ず原水容器１２（原水容器上部１２ｒ及び原水容器下部１２ｆ）をハンドルＨ側にスライドさせて、原水容器下部突起１２ｆｐを浄水容器上部突起１１ｒｐｄの下側に位置させる。次に、原水容器上部１２ｒを持ちながら、ハンドルＨ側が上に、注ぎ口Ｓ側が下になるように原水容器１２を傾けると、原水容器下部突起１２ｆｐの上面が原水容器上部収容部突起１１ｒｐの下面に当接して係止される。さらに、原水容器１２を傾けると、原水容器下部１２ｆは、原水容器下部突起１２ｆｐによって浄水容器上部突起１１ｒｐｄ（浄水容器１１）に係止されている為に、原水容器上部１２ｒと原水容器下部１２ｆの接続が解除される。結果、原水容器上部１２ｒを原水容器下部１２ｆから容易に取り外すことができる。
【００２６】
つまり、原水容器１２を注ぎ口Ｓ側に移動させて原水容器下部突起１２ｆｐと原水容器上部収容部突起１１ｒｐとを係止させないで原水のろ過を行う。そして、ろ過作業完了後に、原水容器１２をハンドルＨ側に移動させて、原水容器下部突起１２ｆｐと浄水容器上部突起１１ｒｐｄに係止させることにより、原水容器下部１２ｆは浄水容器１１中に固定されるので、突起１２ｒｐを原水容器下部１２ｆから容易に取り外して、原水容器１２を分解できる。
【００２７】
（実施の形態３）
図８及び図９を参照して、本発明の実施の形態３に係る浄水器について説明する。本実施の形態に係る浄水器１Ｃにおいては、原水容器下部１２ｆに、指で上から押さえられるための凸状突起１２ｆｐｐが設けられていることを特徴とする。なお、特に必要のない限り浄水器１Ｃに固有の特徴のみ、図面において参照符号を附して表示すると共に明細書において言及して説明する。
【００２８】
図８及び図９に示すように、浄水器１Ｃにおいては、図５を参照して説明した浄水器１Ｂに於ける原水容器下部突起１２ｆｐに相当する部分である原水容器下部突起１２ｆｐ’の上部に、凸状突起１２ｆｐｐがさらに設けられていると共に、原水容器上部収容部１１ｒの上端部は外周部側に折れ曲がって後に垂直方向に屈曲している。なお、屈曲部Ｃｂは、原水容器下部突起１２ｆｐ’の外縁下部角１２ｆｐｃ’と所定の間隔（隙間）を有して嵌合する形状に形成されている。
【００２９】
また、凸状突起１２ｆｐｐの上面は、突起１２ｒｐ’及び原水容器上部収容部１１ｒの上面よりわずかに突出しているので、凸状突起１２ｆｐｐをＤｖ方向に指などで押さえることにより、原水容器下部突起１２ｆｐ’の下面が原水容器上部収容部１１ｒの屈曲部Ｃｂの近傍の上面に押しつけられる。この状態で、ハンドルＨ側が上に、注ぎ口Ｓ側が下になるように原水容器１２に於けるのと同様に、原水容器上部１２ｒを原水容器下部１２ｆより容易に取り外すことができる。
【００３０】
なお、本実施の形態においては、凸状突起１２ｆｐｐで原水容器下部突起１２ｆｐ’を原水容器上部収容部１１ｒに押しつけて、原水容器下部突起１２ｆｐ(原水容器下部１２ｆ)を原水容器上部収容部１１ｒ（浄水容器１１）に固定する構成としている。しかし、これに限らず、原水容器下部突起１２ｆｐを原水容器上部収容部１１ｒに固定できる構造であれば、ネジ若しくはバヨネット構造で接続された形状でもよい。ただしこの場合、接続箇所は円筒形にする必要がある。
【００３１】
（実施の形態４）
図１０及び図１１を参照して、本発明の実施の形態４に係る浄水器について説明する。本実施の形態に係る浄水器１Ｄにおいては、原水容器上部１２ｒをしっかりと把持できる工夫がされている。具体的には、原水容器上部１２ｒを原水容器下部１２ｆに脱着する時には、図１０（ａ）において円Ｃ１及びＣ２で囲まれた原水容器上部１２ｒの側面の外周面を手で保持することになる。そのために、浄水器１Ｄにおいては、原水容器上部１２ｒのグリップ性を改善するものである。なお、特に必要のない限り浄水器１Ｄに固有の特徴のみ、図面において参照符号を附して表示すると共に明細書において言及して説明する。
【００３２】
図１０（ｂ）に、本実施の形態に於けるグリップの一例を示す。本例においては、原水容器上部１２ｒの側面の表面に、シボ加工などにより摩擦の高くなる表面加工Ｇｒ１が施されている。
【００３３】
図１０（ｃ）に、本実施の形態に於ける更なるグリップの一例を示す。本例においては、原水容器上部１２ｒの外側面に形成された凹部にはゴム部材などの摩擦係数高い材料で形成されるゴム部材Ｇｒ２が保持されている。なお、ゴム部材Ｇｒ２は、原水容器上部１２ｒを逆さまにして、原水容器下部１２ｆに嵌入する場合にも支障を来さないように構成される。
【００３４】
図１１に、本実施の形態に於ける更に異なるグリップの一例を示す。図１１（ａ）は、原水容器１２において、原水容器下部１２ｆに原水容器上部１２ｒが載置された状態の断面を示す。図１１（ｂ）には、図１１（ａ）において円Ｃ２で囲まれた拡大図を示す。本例においては、原水容器上部１２ｒの一部に、指や手などをひっかけることができるような大きさの凸部Ｇｒ３が設けられている。なお、凸部Ｇｒ３を設ける場合は、原水容器上部１２ｒを逆さまにして、原水容器下部１２ｆに嵌入する場合にも支障を来さないように構成される。
【００３５】
（実施の形態５）
図１２、図１３、及び図１４を参照して、本発明の実施の形態５に係る浄水器について説明する。本実施の形態に係る浄水器１Ｅにおいては、主に原水容器上部１２ｒに特徴を有するので、原水容器上部１２ｒに関してのみ重点的に述べる。本実施の形態に於ける原水容器上部１２ｒは、非接水部を有しており、非接水部のみを把持して組立及び分解ができるように構成されている。なお、原水容器下部１２ｆと原水容器上部１２ｒとを、組み立てなくても、原水容量は小さいが、ろ過作業はできるという特徴を有している。
【００３６】
上述の浄水器１Ａ、１Ｂ、１Ｃ、及び１Ｄに於いては、原水容器１２（原水容器上部１２ｒ及び原水容器下部１２ｆ）を組立及び分解する際に、原水容器上部１２ｒ（短部Ｐ（Ｌ１）及び長部Ｐ（Ｌ２））の外周部に手が触れることは避けがたい。一度、原水容器上部１２ｒの外周面を手で触った後に、同原水容器上部１２ｒを長部Ｐ（Ｌ２）側から原水容器下部１２ｆに挿入した状態でろ過すると、手が触れた外周面（長部Ｐ（Ｌ２））が原水に浸かってしまう。つまり、原水が汚れてしまう可能性がある。
【００３７】
このような危惧は、ろ過時の前に、その都度、原水容器１２（原水容器上部１２ｒ及び原水容器下部１２ｆ）の手が触れた部分を洗浄することによって防止される。しかしながら、浄水器としての機能や衛生面から見て、原水に浸かる場所に手が触れない、つまり、手で触れる箇所が原水に浸からないことが望ましい。
【００３８】
図１２においては、突起１２ｒｐで分けられた長部Ｐ（Ｌ２）及び短部Ｐ（Ｌ１）の内で、長部Ｐ（Ｌ２）が上側に位置している。非接水領域Ａｎｗが対向する２カ所の短部Ｐ（Ｌ１）の一方に設けられている。
【００３９】
図１３に、短部Ｐ（Ｌ１）に非接水領域Ａｎｗが設けられた、原水容器上部１２ｒが様々な方向から示されている。なお、同図において、原水容器上部１２ｒは、長部Ｐ（Ｌ２）が上側、つまり、ろ過時の姿勢にある。
【００４０】
図１４に、上述の非接水領域Ａｎｗが設けられた原水容器上部１２ｒが組み付けられた浄水器１Ｅを示す。図１４（ａ）は、長部Ｐ（Ｌ２）が上側、つまりろ過時状態の浄水器１Ｅを示している。図１４（ｂ）は、短部Ｐ（Ｌ１）が上側、つまり収納時状態の浄水器１Ｅを示している。
【００４１】
図１５に、図１４（ｂ）で示した収納時状態の浄水器１Ｅに蓋Ｔｃを装着した状態を示す。原水容器上部１２ｒが上に飛び出るために、蓋Ｔｃの裾が長くなっているのが見て取れる。
【００４２】
（実施の形態６）
図１６及び図１７を参照して、本発明の実施の形態６に係る浄水器について説明する。本実施の形態においては、ろ過時に原水容器下部１２ｆと原水容器上部１２ｒを液密に固定できる構造を提案する。図１６（ａ）は収納（非ろ過）時状態の浄水器１Ｆを示し、図１６（ｂ）はろ過（非収納）時状態の浄水器１Ｆを示している。浄水器１Ｆにおいて、リング状のパッキングＰＫが原水容器上部１２ｒの短部Ｐ（Ｌ１）の外周部に設けられている。図１６（ａ）に示すように非ろ過時にはパッキングＰＫはフリーであり、図１６（ｂ）に示すようにろ過時に短部Ｐ（Ｌ１）を原水容器下部１２ｆに嵌入させる際に、原水容器下部１２ｆの上端近くの内周と密着して、原水容器上部１２ｒと原水容器下部１２ｆを液密に固定する。
【００４３】
図１７（ａ）に、図１６（ｂ）に於ける円Ｃ３で囲まれた部分を拡大して示す。図１７（ｂ）及び図１７（ｃ）に、図１６に例示したのと異なる、パッキングＰＫを用いた固定方法を図１７（ａ）と同様に部分拡大して示す。図１７（ａ）に示す例では、図１６に例示したように、リング状のパッキングＰＫは原水容器上部１２ｒの短部Ｐ（Ｌ１）の外周部に設けられている。図１６（ｂ）に示すようにろ過準備の為に、短部Ｐ（Ｌ１）を原水容器下部１２ｆに嵌入させる際に、パッキングＰＫは原水容器下部１２ｆの上端近くの内周と、原水容器上部１２ｒ（短部Ｐ（Ｌ１））とによって径方向に押しつぶれるように密着して、原水容器上部１２ｒと原水容器下部１２ｆとを液密に固定する。なお、パッキングＰＫは、原水容器上部１２ｒの外周部の代わりに、原水容器下部１２ｆの内周部に設けても良い。
【００４４】
図１７（ｂ）に示す例では、パッキングＰＫが原水容器上部１２ｒの短部Ｐ（Ｌ１）側に設けられて、突起１２ｒｐと原水容器下部１２ｆの上端とで厚み方向に押しつぶされるように密着している。また、嵌合爪ＣＬ１（凸）及び嵌合爪ＣＬ２（凸）がそれぞれ原水容器上部１２ｒ及び原水容器下部１２ｆに設けられている。より詳しく言えば、嵌合爪ＣＬ１は、原水容器上部１２ｒの短部Ｐ（Ｌ１）の外周部側の端部よりの位置に設けられ、嵌合爪ＣＬ２は原水容器下部１２ｆの内周側の端部よりの位置に設けられている。
【００４５】
なお、原水容器上部１２ｒと原水容器下部１２ｆの取り付け固定は以下の要領にて行われる。原水容器上部１２ｒを原水容器下部１２ｆに挿入すると、先ず、嵌合爪ＣＬ１が嵌合爪ＣＬ２に当接する。この時点では、パッキングＰＫは突起１２ｒｐ及び原水容器下部１２ｆによって圧縮されてない。原水容器上部１２ｒをさらに挿入すると、嵌合爪ＣＬ１が嵌合爪ＣＬ２を乗り越える過程で、突起１２ｒｐ及び原水容器下部１２ｆによるパッキングＰＫの圧縮が開始される。嵌合爪ＣＬ１が嵌合爪ＣＬ２を乗り越えた、つまり嵌合爪ＣＬ１と嵌合爪ＣＬ２が係合した時点で、パッキングＰＫの圧縮が完了して、原水容器上部１２ｒと原水容器下部１２ｆとが液密に固定される。また、パッキングＰＫの他に、ネジ若しくはバヨネット構造を用いて、原水容器上部１２ｒと原水容器下部１２ｆとを液密に固定しても良い。
【００４６】
図１７（ｃ）に示す例では、図１７（ｂ）に示す例において、原水容器上部１２ｒの下端部の外周側に溝（段差）が設けられ、原水容器下部１２ｆは原水容器上部１２ｒの下端部を受け止めるように内周側に屈曲している。パッキングＰＫは原水容器上部１２ｒの下端部に設けられている。結果、嵌合爪ＣＬ１と嵌合爪ＣＬ２が係合した状態で、原水容器上部１２ｒの下端部の溝（段差）と原水容器下部１２ｆの屈曲部の上端との間で、パッキングＰＫが圧縮されて、原水容器上部１２ｒと原水容器下部１２ｆとが液密に固定される。また、パッキングＰＫの他に、ネジ若しくはバヨネット構造を用いて、原水容器上部１２ｒと原水容器下部１２ｆとを液密に固定しても良い。
【００４７】
（実施の形態７）
図１８及び図１９を参照して、本発明の実施の形態７に係る浄水器について説明する。本実施の形態においては、図１６及び図１７に例示した浄水器１Ｆにおいてはリング状パッキングＰＫが原水容器上部１２ｒの短部Ｐ（Ｌ１）の外周部に設けられているのに対して、原水容器下部１２ｆの内周に設けられている。原水容器上部１２ｒの短部Ｐ（Ｌ１）の外径をＤ１とし、長部Ｐ（Ｌ２）の外径をＤ２とし、原水容器下部１２ｆの内径をＤｆとすると、次式（３）及び次式（４）に示す関係がある。
Ｄ２＜Ｄ１＜Ｄｆ                    ・・・・（３）
Ｄ２＋Ｇ（ｐｋ）≦Ｄ１＋ｄ’＜Ｄｆ  ・・・・（４）
【００４８】
Ｇ（ｐｋ）は、非ろ過（収納）時状態に、長部Ｐ（Ｌ２）を原水容器下部１２ｆに嵌入したときに、パッキングＰＫが原水容器下部１２ｆの内周に触れないよう適宜決められる間隔である。ｄ’は、ろ過（非収納）時状態に、短部Ｐ（Ｌ１）を原水容器下部１２ｆに適切に嵌入できるように適宜定められる値であり、好ましくは嵌合交差である。これにより、ろ過時には原水容器上部１２ｒを原水容器下部１２ｆに液密に固定された状態でのろ過を可能とし、原水容器上部１２ｒが原水容器下部１２ｆ中でフリーな状態での浄水器１Ｇの収納が可能である。
【００４９】
図１９（ａ）に、図１８（ｂ）に於ける円Ｃ４で囲まれた部分を拡大して示す。図１９（ｂ）及び図１９（ｃ）に、図１７に例示したのと異なる、パッキングＰＫを用いた固定方法を図１９（ａ）と同様に部分拡大して示す。図１９（ａ）に示す例では、リング状のパッキングＰＫは原水容器上部１２ｒの短部Ｐ（Ｌ１）の外周部にではなく、原水容器下部１２ｆの外周部に設けられている点を除いて、図１７（ａ）を参照して説明したのと同様にパッキングＰＫが径方向に押しつぶれるように密着して、原水容器上部１２ｒと原水容器下部１２ｆとを液密に固定する。
【００５０】
図１９（ｂ）に示す例では、リング状のパッキングＰＫが突起１２ｒｐの短部Ｐ（Ｌ１）側にではなく原水容器下部１２ｆの上端部の内周側の角部に設けられている点を除いて、図１７（ｂ）を参照して説明したのと同様に、嵌合爪ＣＬ１が嵌合爪ＣＬ２を乗り越えた時点でパッキングＰＫの圧縮が完了して、原水容器上部１２ｒと原水容器下部１２ｆは液密に固定される。また、パッキングＰＫの他に、ネジ若しくはバヨネット構造を用いて、原水容器上部１２ｒと原水容器下部１２ｆとを液密に固定しても良い。
【００５１】
図１９（ｃ）に示す例では、図１９（ｂ）に示す例において、原水容器下部１２ｆは原水容器上部１２ｒの下端部を受け止めるように内周側に屈曲している。パッキングＰＫは原水容器下部１２ｆの屈曲部の上面に設けられている。結果、嵌合爪ＣＬ１と嵌合爪ＣＬ２が係合した状態で、原水容器上部１２ｒの下端部と原水容器下部１２ｆの屈曲部の上端との間で、パッキングＰＫが圧縮されて、原水容器上部１２ｒと原水容器下部１２ｆとが液密に固定される。また、パッキングＰＫの他に、ネジ若しくはバヨネット構造を用いて、原水容器上部１２ｒと原水容器下部１２ｆとを液密に固定しても良い。
【００５２】
(実施の形態８)
図２０及び図２１を参照して、本発明の実施の形態８に係る浄水器について説明する。本実施の形態においては、上述の突起１２ｒｐと短部Ｐ（Ｌ１）が一体化されると共に、原水容器下部１２ｆの上端部の外形より大きな内径を有する円筒部１２ｒｐｒとして構成されている。なお、円筒部１２ｒｐｒと原水容器下部１２ｆとで原水容器１２Ｈを構成している。そして、リング状のパッキングＰＫが円筒部１２ｒｐｒの内周壁面に設けられている。円筒部１２ｒｐｒの内径をＤ３とし、長部Ｐ（Ｌ２）の外径をＤ２とし、原水容器下部１２ｆの内径をＤｆとし、原水容器下部１２ｆの外径をＤｆｏすると、次式（５）及び次式（６）に示す関係がある。
Ｄ２＜Ｄｆ＜Ｄｆｏ＜Ｄ３        ・・・・（５）
Ｄ２＋Ｇ＜Ｄｆｏ＋ｄ’＜Ｄ３    ・・・・（６）
【００５３】
Ｇは、非ろ過（収納）時状態に、長部Ｐ（Ｌ２）を原水容器下部１２ｆに嵌入したときに、原水容器下部１２ｆとの間に適度の離間距離をとるように適宜決められる間隔である。ｄ’は、ろ過（非収納）時状態に、円筒部１２ｒｐｒの内周面に原水容器下部１２ｆの上端が適切に嵌入できるように適宜定められる値であり、好ましくは嵌合交差である。これにより、ろ過時には原水容器上部１２ｒを原水容器下部１２ｆに液密に固定された状態でのろ過を可能とし、原水容器上部１２ｒが原水容器下部１２ｆ中でフリーな状態での浄水器１Ｈの収納が可能である。
【００５４】
図２１（ａ）に、図２０（ｂ）に於ける円Ｃ５で囲まれた部分を拡大して示す。図２１（ｂ）及び図２１（ｃ）に、図１９に例示したのと異なる、パッキングＰＫを用いた固定方法を図２１（ａ）と同様に部分拡大して示す。図２１（ａ）に示す例では、円筒部１２ｒｐｒの内周にリング状のパッキングＰＫが設けられている点を除いて、図１９（ａ）を参照して説明したのと同様にパッキングＰＫが径方向に押しつぶれるように密着して、原水容器上部１２ｒと原水容器下部１２ｆとを液密に固定する。
【００５５】
図２１（ｂ）に示す例では、リング状のパッキングＰＫが原水容器下部１２ｆの上端部の内周側の角部ではなく、円筒部１２ｒｐｒの底部と原水容器下部１２ｆの上端との間に設けられている点を除いて、図１９（ｂ）を参照して説明したのと同様に、嵌合爪ＣＬ１が嵌合爪ＣＬ２を乗り越えた時点でパッキングＰＫの圧縮が完了して、原水容器上部１２ｒと原水容器下部１２ｆは液密に固定される。また、パッキングＰＫの他に、ネジ若しくはバヨネット構造を用いて、原水容器上部１２ｒと原水容器下部１２ｆとを液密に固定しても良い。
【００５６】
図２１（ｃ）に示す例では、図２１（ｂ）に示す例において、原水容器上部１２ｒの円筒部１２ｒｐｒの下端部の内周側に溝（段差）が設けられ、原水容器下部１２ｆは原水容器上部１２ｒの下端部を受け止めるように外周側に屈曲している。パッキングＰＫは原水容器上部１２ｒの下端部及び原水容器下部１２ｆの屈曲部の上面の何れかに設けられている。結果、嵌合爪ＣＬ１と嵌合爪ＣＬ２が係合した状態で、原水容器上部１２ｒの下端部の溝（段差）と原水容器下部１２ｆの屈曲部の上端との間で、パッキングＰＫが圧縮されて、原水容器上部１２ｒと原水容器下部１２ｆとが液密に固定される。また、パッキングＰＫの他に、ネジ若しくはバヨネット構造を用いて、原水容器上部１２ｒと原水容器下部１２ｆとを液密に固定しても良い。
【００５７】
（実施の形態９）
図２２及び図２３を参照して、本発明の実施の形態９に係る浄水器について説明する。本実施の形態においては、リング状のパッキングＰＫが円筒部１２ｒｐｒの内周壁面ではなく、原水容器下部１２ｆの上端部の外周面に設けられている点を除いて、図２０及び図２１に例示した浄水器１Ｈと同様に構成されている。
【００５８】
図２３（ａ）に、図２２（ｂ）に於ける円Ｃ６で囲まれた部分を拡大して示す。図２３（ｂ）に、図２１に例示したのと異なる、パッキングＰＫを用いた固定方法を図２３（ａ）と同様に部分拡大して示す。図２３（ａ）に示す例では、原水容器下部１２ｆの外周面にリング状のパッキングＰＫが設けられている点を除いて、図２１（ａ）を参照して説明したのと同様にパッキングＰＫが径方向に押しつぶれるように密着して、原水容器上部１２ｒと原水容器下部１２ｆとを液密に固定する。
【００５９】
図２３（ｂ）に示す例では、リング状のパッキングＰＫが円筒部１２ｒｐｒの底部と原水容器下部１２ｆの上端との間ではなく、円筒部１２ｒｐｒの底部と、原水容器下部１２ｆの上端部の内周側の角部に設けられている点を除いて図２１（ｂ）を参照して説明したのと同様に、嵌合爪ＣＬ１が嵌合爪ＣＬ２を乗り越えた時点でパッキングＰＫの圧縮が完了して、原水容器上部１２ｒと原水容器下部１２ｆは液密に固定される。
【産業上の利用可能性】
【００６０】
本発明は、家庭で水道水のろ過に用いられる浄水器に利用することができる。
【符号の説明】
【００６１】
１Ａ、１Ｂ、１Ｃ、１Ｄ、１Ｅ、１Ｆ、１Ｇ、１Ｈ、１Ｉ    浄水器
２      フィルターカートリッジ
２ｔ      カートリッジ上部
２ｂ      カートリッジ下部
１１          浄水容器
１１ｒ        原水容器上部収容部
１１ｆ        原水容器下部収容部
１１ｒｐ      原水容器上部収容部突起
１１ｔ        原水収容部
１１ｂ        浄水収容部
１１ｒｐｄ  浄水容器上部突起
１２        原水容器
１２ｒ        原水容器上部
１２ｆ        原水容器下部
１２ｒｐ、１２ｒｐ’        突起
１２ｆｐ、１２ｆｐ’      原水容器下部突起
１２ｆｅ      原水容器下部上端部
１２ｆｐｐ      凸状突起
１２ｒｐｒ      円筒部
１２ｆｐｃ’    外縁下部角
Ａｎｗ    非接水領域
ＣＬ１、ＣＬ２    嵌合爪
Ｃｂ    屈曲部
Ｄ１、Ｄ２、Ｄｆｏ    外径
Ｄｆ、Ｄ３    内径
ＤＬ      注ぎ方向
Ｈ      ハンドル
Ｌ１、Ｌ２、Ｌ３      距離
Ｌ１２ｆｐ    原水容器下部突起長
Ｌ１２ｆｐ’  原水容器下部突起突出長
Ｌ１１ｒｐ    原水容器下部収容部突起長
Ｌ１１ｒｐｄ  浄水容器上部突起長
Ｌｇ    距離
ＰＫ          パッキング
Ｐ（Ｌ１）        短部
Ｐ（Ｌ２）        長部
Ｓ      注ぎ口
Ｔｃ      蓋
【図１】
2014069152.tif 000003
【図２】
2014069152.tif 000004
【図３】
2014069152.tif 000005
【図４】
2014069152.tif 000006
【図５】
2014069152.tif 000007
【図６】
2014069152.tif 000008
【図７】
2014069152.tif 000009
【図８】
2014069152.tif 000010
【図９】
2014069152.tif 000011
【図１０】
2014069152.tif 000012
【図１１】
2014069152.tif 000013
【図１２】
2014069152.tif 000014
【図１３】
2014069152.tif 000015
【図１４】
2014069152.tif 000016
【図１５】
2014069152.tif 000017
【図１６】
2014069152.tif 000018
【図１７】
2014069152.tif 000019
【図１８】
2014069152.tif 000020
【図１９】
2014069152.tif 000021
【図２０】
2014069152.tif 000022
【図２１】
2014069152.tif 000023
【図２２】
2014069152.tif 000024
【図２３】
2014069152.tif 000025
【図２４】
2014069152.tif 000026
【図２５】
2014069152.tif 000027